(57)【要約】【課題】左右傾斜面を走行しても除草タインが作物列を中心に自動調整される除草装置を提供する。【解決手段】カルチベータ等の本体横バーに固定するベース部材のフレーム内部長手方向に、後部に垂直軸支部を形成した上下揺動部材を配設する。バランスウエイトを設けたカウンターウエイトと後方二股アームの後部に除草タインを取付けた支持アームを、前記上下揺動部材の垂直軸支部への枢着部を設けた中間ブロック部を介して一連の除草部材本体に構成する。前記除草部材本体全体の重心が、上下揺動部材の前記垂直軸支部又はその近傍にかかるように設定して、前記除草部材本体の枢着部を上下揺動部材の垂直軸支部に、左右揺動可能に軸着する。【選択図】図１
2005269916.tif 000002
【特許請求の範囲】
【請求項１】
前後に延びるフレームに、カルチベータ等の本体横バーに固定する取付けブラケットを有するベース部材と、
前記ベース部材のフレーム長手方向に配設し、前部を前記ベース部材に上下回動可能に枢支するとともに、後部に垂直軸支部を形成した上下揺動部材と、
前方に延びるアームにバランスウエイトを設けたカウンターウエイトと後方二股アームの後部に除草タインを取付けた支持アームを、前記上下揺動部材の垂直軸支部へのピン孔を設けた中間ブロック部を介して前後に一連に構成した除草部材本体と、
を具備し、前記バランスウエイトから除草タインにいたる除草部材本体全体の重心が、上下揺動部材の前記垂直軸支部自体又はその近傍に直接かかるように設定して、前記除草部材本体の枢着部を上下揺動部材の垂直軸支部に、左右揺動可能に軸着したことを特徴とする除草装置
【請求項２】
二股アーム後方タインを前側タインと後側タインで構成するとともに、この二股アームを前記中間ブロック部後方のブラケットに上下角度調整可能に一体固定したことを特徴とする請求項１記載の除草装置
【請求項３】
ベース部材と上下揺動部材間にスプリングを架設して上下揺動部材を弾力的に支持するとともに、上下揺動部材のフレームに固定したねじ筒にボルトハンドルを上下移動可能に螺合し、スプリングの一端をボルトハンドルで上下変位させて除草タインの接地圧作用を調整可能にしたことを特徴とする請求項１又は２記載の除草装置
【発明の詳細な説明】
【技術分野】
【０００１】
本発明はトラクタに牽引されるカルチベータ等のフレーム後方に取付けて使用する除草装置に関し、特に、トラクタが左右傾斜面を走行しても、また、運転が未熟でも常にアタッチメント後方の除草タインが作物列を中心にして牽引される除草装置に関する。
【背景技術】
【０００２】
トラクタに牽引されるカルチベータのフレーム後方に連結される除草装置は、トラクタの前進に従って後端の除草タインを畝に接触させて表面の雑草を取り除いてゆく。従って、この種の除草装置は、トラクタが平坦面を直進走行しているときは、除草装置の左右タインが作物列を中心にして周囲の雑草を除草してゆくことことができる。
ところが、山側から谷側の左右傾斜面に沿ってトラクタを直進させるときは、トラクタが谷側にずり落ちないように山側に向けて傾斜させた状態で走行させなければならない。従って、トラクタと平行に引かれる除草装置は作物列に対して斜めに牽引されることになり、その結果、後端の除草タインで作物がなぎ倒されてしまう。
【０００３】
また、カルチベータに取付けた除草装置はトラクタを運転するオペレーターの後方に長い列で牽引されるので、除草装置を畝や作物列に合わせるのは容易ではない。このため、トラクタが平地を走行する場合でも、運転ミスはもちろんのこと、通常の操作でも作物列に対する除草装置の横ずれは防ぎきれない。
【０００４】
これらの問題を解決する手段として、カルチベータに除草装置を左右回動可能に軸支し、除草装置がトラクタの向きに拘束されないようにすることが考えられるが、カルチベータに引きずられて進行する除草装置は、特に山側と谷側との傾斜面では軸支点後方の重力で後端タイン部材が自重で谷側に流れてしまうため、単に左右回動可能に軸支しただけでは上記の問題を解決することはできない。
【０００５】
尚、除草装置の除草タインは一般に後方に向けて円弧状に湾曲させた二股アームの両側に前側タインと後側タインの２段タインを取付けてあり、前側タインと後側タインが協働して雑草を取り、根の土を振り払うようにしている。このためには前側タインと後側タインを畝の地面に均等に作用させる必要がある。
しかし乍ら、従来は除草タインの二股アームのステイが前方のブラケットに上下角度調整不能に固定されているため、前側タインと後側タインが均等に接地しないことがあり、そのための調整が困難であった。
【発明の開示】
【発明が解決しようとする課題】
【０００６】
従って、本発明の主たる目的は、牽引車を左右傾斜面に沿って傾けて走行させても、後方の除草タインが自動的に作物列を中心にして牽引されるようにした除草装置を提供することにある。
【０００７】
本発明の他の目的は、除草タインの上下角度を変えて前側タインと後側タインの接地具合を調整できる上記除草装置を提供することにある。
【課題を解決するための手段】
【０００８】
上記主たる目的を達成するために本発明の除草装置は、前後に延びるフレームに、カルチベータ等の本体横バーに固定する取付けブラケットを有するベース部材と、前記ベース部材のフレーム長手方向に配設し、前部を前記ベース部材に上下回動可能に枢支するとともに、後部に垂直軸支部を形成した上下揺動部材と、前方に延びるアームにバランスウエイトを設けたカウンターウエイトと後方二股アームの後部に除草タインを取付けた支持アームを、前記上下揺動部材の垂直軸支部への枢着部を設けた中間ブロック部を介して前後に一連に構成した除草部材本体と、を具備し、前記バランスウエイトから除草タインにいたる除草部材本体全体の重心が、上下揺動部材の前記垂直軸支部自体又はその近傍に直接かかるように設定して、前記除草部材本体の枢着部を上下揺動部材の垂直軸支部に、左右揺動可能に軸着したことを特徴とする。
【０００９】
上記他の目的を達成するために、本発明は上記除草装置において、支持フレームの二股アーム後方タインを前側タインと後側タインで構成するとともに、この二股アームを前記中間ブロック部後方のブラケットに上下角度調整可能に一体固定したことを特徴とする。
【００１０】
本発明はまた、ベース部材と上下揺動部材間にスプリングを架設して上下揺動部材を弾力的に支持するとともに、上下揺動部材のフレームに固定したねじ筒にボルトハンドルを上下移動可能に螺合し、スプリングの一端をボルトハンドルで上下変位させて除草タインの接地圧作用を調整可能にしてもよい。
【発明の効果】
【００１１】
本発明の除草装置は除草部材本体の重心付近を上下揺動部材への枢支部で直接受けて左右揺動自在に連結されているので、左右傾斜面の走行やオペレーターの操作ミスでトラクタと畝の平行が保たれなくなっても除草装置はトラクタの向きから独立して逆方向に向き、タインは作物列に自動追従する。このため、タインで作物を倒したり、損傷させることがなくなる。
【００１２】
タインの二股アームの上下角度を調整することにより、タイン部材の前側タインと後側タインの接地圧を均等に保持することができる。
【００１３】
ベース部材と上下揺動部材間に架設したガススプリングのばね力をボルトハンドルで調整することにより、タイン部材の接地作用を調節することができる。
【発明を実施するための最良の形態】
【００１４】
以下、本発明の実施例を添付の図面に沿って説明する。
図１及び図２に示すように、本発明の除草装置１はカルチベータへの取付ブラケット２を有するベース部材３と、ベース部材３のフレーム内の長手方向に沿って上下回動可能に配設される上下揺動部材４と、この上下揺動部材４の後部に左右揺動可能に軸着される除草部材本体５を備えている。
【００１５】
前記ベース部材３は、前後に延在する左右フレーム３ａ、３ｂの前部に、カルチベータ等の本体横バー６（図５、図６参照）への係着部７を有する取付けブラケット２を一体に有し、左右フレーム３ａ、３ｂのほぼ中間に前記上下揺動部材４をピン８で枢着するためのピン孔９を形成してある。
【００１６】
前記上下揺動部材４は、前記ベース部材３の左右フレーム３ａ、３ｂ内に沿って配設されるフレーム１０の前部に前記ベース部材３のピン孔９に対応する枢着ピン孔１１を有するとともに、フレーム１０の後端に前記除草部材本体５の重心又は重心付近を左右回動可能に枢支する垂直軸支部１２を一体に設けてある。図の実施例の垂直軸支部１２は、フレーム１０の後端に垂直円筒１３を一体に設け、この円筒１３内に支軸１４をベアリング１５を介して回転可能に嵌装し、支軸１４の上部を上方へ突出させた状態に装着されている。
【００１７】
前記除草部材本体５は、前後に延びるカウンターアーム１６にバランスウエイト１７を設けたカウンターウエイト１８と、後方湾曲させた二股アーム１９の後部に除草タイン２０を取付けた支持アーム２１とを中間ブロック部２２を介して前後に一連に一体結合してなり、前記中間ブロック部２２に前記上下揺動部材４の垂直軸支部１２の支軸１４に軸着するためのピン孔２３を設けてある。
【００１８】
尚、図の実施例の除草部材本体５の支持アーム２１は、二股アーム１９の各後端に地面に接触して雑草をとる前側タイン２０ａと後側タイン２０ｂが固定されているとともに、二股アーム１９に固定したステイ４０を中間ブロック部２２と一体の後部ブラケット２４に上下角度調整可能に一体に結合してある。
【００１９】
図の実施例は、二股アーム１９のステイ４０とブラケット２４の各々の対応位置に二対のピン孔２５、２６と、２５´、２６´を形成し、一方の組のピン孔２５、２６をピン２７で回動可能に軸着するとともに、他方の組のピン孔２５´、２６´の一方を長孔（図はステイ４０側ピン孔２５´）にして軸２８で上下角度可変に固定してある。
【００２０】
かくして、ベース部材３のフレーム３ａ、３ｂ内長手方向に上下揺動部材４を配置し、前部のピン孔１１をベース部材３のピン孔９にピン８で枢着し、上下揺動可能に連結するとともに、除草部材本体５の重心部又はその付近となる中間ブロック部２２の前記ピン孔２３を前記上下揺動部材４の軸支部１２の支軸１４を通して軸支し、除草部材本体５の重心位置又はその付近位置が上下揺動部材４の軸支部１２に直接に載るようにして左右揺動可能に連結されている。
【００２１】
言い換えれば、除草部材本体５のタイン２０ａ、２０ｂが所定圧で地面に接触した状態で上下揺動部材４の軸支部１２が、除草部材本体５の重心位置又はその付近を支点にしてバランスをとって揺動自在に支える構造になっている。
すなわち、本発明は、タイン部材を単に左右揺動自在にして牽引するのではなく、タイン部分を適宜の圧力で接地させながら、除草部材本体５全体の重心又はその付近を上下揺動部材４の軸支部１２自体に直接的に載せて支持させている点に最も大きな特徴をもたせたものである。
【００２２】
本発明の除草装置１は、図５、図６に示すようにトラクタ２９に牽引されるカルチベータ３０に取付けて使用するものであるが、上記のように構成することにより、図５のように、トラクタ２９が平坦面を走行しているときは除草部材本体５はトラクタ２９と平行に支持され、作物列３１がタイン２０、２０の中心に保持される。
他方、図６のようにトラクタ２９を左右傾斜面の山側に傾斜させて走行させると、除草部材本体５は上下揺動部材４の軸支部１２自体にその重心を保持した状態で左右揺動可能に載っているのでトラクタの向きとは独立して逆方向に揺動した姿勢となり、タイン２０、２０は自動的に作物列３１に沿って進行する。
【００２３】
尚、図の実施例では、ベース部材３の先端ピン孔３２と上下揺動部４のピン孔３３にガススプリング３４等のばねをピン３５、３５で軸支し上下揺動部材４で支えた除草部材本体５を弾力的に支持するようにしてある。
【００２４】
また、ガススプリング３４の後端ピン孔３３は、上下揺動部材４のフレーム１０に固定したねじ筒４１に上下移動に螺係合したボルトハンドル３６の先端ブラケット３７に軸着され、このボルトハンドル３６の回転でガススプリング３４の後端位置を上下変位させることによりタインの接地圧作用を調整するようにしてある。
【００２５】
上下揺動部材４のフレーム１０の上面に除草部材本体５の左右揺動位置を規制する所定巾のＵ字形ストッパ３８を固設してある。
【００２６】
また、図の実施例ではベース部材３の後端に除草部材本体５のブラケット２４を受入れるＵ字形切欠部３９を形成し、カルチベータを引き上げたときに除草部材本体５を持ち上げ、且つ、左右の揺動を規制するようにしてある。
【産業上の利用可能性】
【００２７】
本発明の除草装置は、トラクタに牽引されるカルチベータに取付けて、農場の作物列周囲の除草を行うのに使用され、特に左右傾斜面や運転が未熟な場合でも、除草タインを作物列を中心に自動調整させて牽引するのに適している。
使用に際しては、図５のようにカルチベータに複数の除草ユニットとして単独に取付けてもよく、また、別機能のアタッチメントと併用してもよい。
【図面の簡単な説明】
【００２８】
【図１】本発明による除草装置の斜視図
【図２】図１の除草装置の分解図
【図３】図１実施例の側面図
【図４】図１実施例の作用説明図
【図５】本発明による除草装置の使用説明図
【図６】本発明による除草装置の使用説明図
【符号の説明】
【００２９】
１…除草装置
２、２４、３７…ブラケット
３…ベース部材
４…上下揺動部材
５…除草部材本体
６…本体横バー
７…係着部
８、２７、３５…ピン
９、１１、２３、２５、２６、２５´、２６´、３２、３３…ピン孔
１０…フレーム
１２…垂直軸支部
１３…円筒
１４…支軸
１５…ベアリング
１６…カウンターアーム
１７…バランスウエイト
１８…カウンターウエイト
１９…二股アーム
２０…タイン
２０ａ…前側タイン
２０ｂ…後側タイン
２１…支持アーム
２２…中間ブロック部
２８…軸
２９…トラクタ
３０…カルチベータ
３１…作物列
３４…ガススプリング
３６…ボルトハンドル
３８…Ｕ字形ストッパ
３９…Ｕ字形切欠部
４０…ステイ
４１…ねじ筒
【図１】
2005269916.tif 000003
【図２】
2005269916.tif 000004
【図３】
2005269916.tif 000005
【図４】
2005269916.tif 000006
【図５】
2005269916.tif 000007
【図６】
2005269916.tif 000008
【手続補正書】
【提出日】平成16年8月25日(2004.8.25)
【手続補正１】
【補正対象書類名】特許請求の範囲
【補正対象項目名】全文
【補正方法】変更
【補正の内容】
【特許請求の範囲】
【請求項１】
前後に延びるフレームに、カルチベータ等の本体横バーに固定する取付けブラケットを有するベース部材と、
前記ベース部材のフレーム長手方向に配設し、前部を前記ベース部材に上下回動可能に枢支するとともに、後部に垂直軸支部を形成した上下揺動部材と、
前方に延びるアームにバランスウエイトを設けたカウンターウエイトと後方二股アームの後部に除草タインを取付けた支持アームを、前記上下揺動部材の垂直軸支部へのピン孔を設けた中間ブロック部を介して前後に一連に構成した除草部材本体と、
を具備し、前記バランスウエイトから除草タインにいたる除草部材本体全体の重心が、上下揺動部材の前記垂直軸支部自体又はその近傍に直接かかるように設定して、前記除草部材本体の枢着部を上下揺動部材の垂直軸支部に、左右揺動可能に軸着したことを特徴とする除草装置
【請求項２】
二股アーム後方タインを前側タインと後側タインで構成するとともに、この二股アームを前記中間ブロック部後方のブラケットに上下角度調整可能に一体固定したことを特徴とする請求項１記載の除草装置
【請求項３】
ベース部材と上下揺動部材間にスプリングを架設して上下揺動部材を弾力的に支持するとともに、上下揺動部材のフレームに固定したねじ筒にボルトハンドルを上下移動可能に螺合し、スプリングの一端をボルトハンドルで上下変位させて除草タインの接地圧作用を調整可能にしたことを特徴とする請求項１又は２記載の除草装置
【請求項４】
ベース部材の後端に、カルチベータ等の本体横バーを引き上げたときに、除草部材本体のブラケットを受入れて除草部材本体を中心位置に復帰させて持ち上げ、左右の揺動を規制するＵ字形切欠部を形成したことを特徴とする請求項１、２又は３記載の除草装置